(57)【要約】【課題】簡易な構成でありながらも使用や樹脂のへたりに大きな影響を受けずに回転規制の効果を保つことができるようにする。【解決手段】座２３が取り付けられる座フレーム１と当該座フレーム１を回動可能に支持する座回動支持桿６とを有する椅子の座回動機構であり、座回動支持桿６に間隔をあけて設けられた第一の受け部材７及び回転止め部８と、座フレーム１に設けられて第一の受け部材７と回転止め部８との間に配置される第二の受け部材２と、第一の受け部材７と第二の受け部材２とを貫通してこれら第一の受け部材７と第二の受け部材２とを挟むように締め付けるものであって一端に頭部３ａを有する回動軸３及び当該回動軸３の頭部３ａと反対側に嵌められる回動軸止め５と、回転止め部８に設けられて回動軸３の頭部３ａの側面に当たって回動軸３の座回動支持桿６に対する相対回転を阻止する当たり面１１とを備え、回転止め部８は回動軸３の頭部３ａを軸方向に通り抜け可能とするようにした。【選択図】図１
2012090757.tif 000002
【特許請求の範囲】
【請求項１】
座が取り付けられる座フレームと当該座フレームを回動可能に支持する座回動支持桿とを有する椅子の座回動機構であり、前記座回動支持桿に間隔をあけて設けられた第一の受け部材及び回転止め部と、前記座フレームに設けられて前記第一の受け部材と前記回転止め部との間に配置される第二の受け部材と、前記第一の受け部材と前記第二の受け部材とを貫通してこれら第一の受け部材と第二の受け部材とを挟むように締め付けるものであって一端に頭部を有する回動軸及び当該回動軸の前記頭部と反対側に嵌められる回動軸止めと、前記回転止め部に設けられて前記回動軸の頭部の側面又は前記回動軸止めの側面に当たって前記回動軸又は前記回動軸止めの前記座回動支持桿に対する相対回転を阻止する当たり面とを備え、前記回転止め部は前記回動軸の頭部又は前記回動軸止めを軸方向に通り抜け可能としていることを特徴とする椅子の座回動機構。
【請求項２】
前記第一の受け部材及び前記回転止め部とが、前記座回動支持桿の左右両端と接合して当該座回動支持桿を介して前記座を支持するように対向配置された左右一対の座支持フレームの内側に配置されることを特徴とする請求項１記載の椅子の座回動機構。
【請求項３】
前記第一の受け部材及び前記回転止め部が前記座回動支持桿から上方に突出して設けられて前記回動軸が前記座回動支持桿よりも上に位置し、前記座が使用位置にある時の前記座フレームと、前記座回動支持桿の左右両端と接合して当該座回動支持桿を介して前記座を支持するように対向配置された左右一対の座支持フレームとの間に間隙があることを特徴とする請求項１記載の椅子の座回動機構。
【発明の詳細な説明】
【技術分野】
【０００１】
本発明は、椅子の座回動機構に関する。さらに詳述すると、本発明は、例えば、座が水平位置と垂直位置とに回動することが可能であって座を垂直位置にして同一の椅子と前後方向にスタッキングすることが可能である椅子に適用して好適な座回動機構に関する。
【背景技術】
【０００２】
椅子の座を跳ね上げて回動させる構造とするためには当該座の回動動作に抵抗を与える必要がある。抵抗がないと座が倒れてしまい指などを挟む危険がある。座が回動可能な従来の椅子としては例えば、図８及び図９に示すように、対向配置された左右一対の座支持フレーム１０１，１０１と、これら座支持フレーム１０１それぞれの後端と接合する左右一対の背凭れ支持フレーム１０２，１０２と、左右一対の座支持フレーム１０１，１０１の間の後端寄り位置に取り付けられた左右方向の座回動支持桿１０５を介して回動可能に取り付けられる座１０３と、背凭れ支持フレーム１０２の上端部に取り付けられる背凭れ１０４とを有し、弾性を有する硬質合成樹脂で形成されて座１０３の下面に取り付けられた左右一対の支持部材１０６，１０６を座回動支持桿１０５に回動可能に装着し、また、座回動支持桿１０５の外周にピン１０７を設け、座１０３の上方への回動時にピン１０７に摺接しつつ当該ピン１０７を乗り越えて座１０３の起立位置（概ね垂直位置）でピン１０７に係合して起立位置で座１０３を保持する弾性リブ１０８を支持部材１０６の側壁に形成するようにしたものがある（特許文献１）。
【先行技術文献】
【特許文献】
【０００３】
【特許文献１】特開２００５−２１８５３３号
【発明の概要】
【発明が解決しようとする課題】
【０００４】
しかしながら、特許文献１の椅子では、樹脂の弾性変形を利用して回転の規制をかけることによって座１０３を起立位置に保持するようにしており、使用によって或いは経時変化によって弾性リブ１０８部分の樹脂にへたりが生じた場合には回転規制（そのための抵抗力）が弱まってしまい、座１０３を起立位置で保持することができずに例えば振動等の外力によって使用位置（概ね水平位置）に向かって不意に前向き（下向き）回動してしまう。このため、快適・良好な使用状態が十分に持続されるとは言い難いという問題がある。さらに、弾性リブ１０８は支持部材１０６の側壁と一体の凸部として形成されているので、弾性リブ１０８部分の樹脂にへたりが生じ座１０３の回転規制が弱まってしまう不具合を解消するためには支持部材１０６全体を交換する必要があり、メンテナンスにかかる手間の増加及びコストアップに繋がってしまうという問題がある。
【０００５】
そこで、本発明は、椅子の座の回動機構において、簡易な構成でありながらも回転規制の効果を長期間保つことができると共に、樹脂のへたりや摩耗等によって回転規制がたとえ弱まってしまったとしても部品の交換を伴うことなく回転規制効果の回復の調整を簡便に行うことができる椅子の座回動機構を提供することを目的とする。
【課題を解決するための手段】
【０００６】
かかる目的を達成するため、請求項１記載の椅子の座回動機構は、座が取り付けられる座フレームと当該座フレームを回動可能に支持する座回動支持桿とを有する椅子の座回動機構であり、座回動支持桿に間隔をあけて設けられた第一の受け部材及び回転止め部と、座フレームに設けられて第一の受け部材と回転止め部との間に配置される第二の受け部材と、第一の受け部材と第二の受け部材とを貫通してこれら第一の受け部材と第二の受け部材とを挟むように締め付けるものであって一端に頭部を有する回動軸及び当該回動軸の頭部と反対側に嵌められる回動軸止めと、回転止め部に設けられて回動軸の頭部の側面又は回動軸止めの側面に当たって回動軸又は回動軸止めの座回動支持桿に対する相対回転を阻止する当たり面とを備え、回転止め部は回動軸の頭部又は回動軸止めを軸方向に通り抜け可能としている。
【０００７】
したがって、この椅子の座回動機構によると、第一の受け部材と第二の受け部材とが回動軸を中心に相対回転することで座回動支持桿に対して座フレームが回動する。そして、第一の受け部材と第二の受け部材とは回動軸と回動軸止めとによって締め付けられているので、これらを強く締め付けると第一の受け部材と第二の受け部材との相対回転に対して適度な大きさの抵抗力が発生する。さらに、回動軸の頭部の側面又は回動軸止めの側面が回転止め部の当たり面に当たることによって回動軸の座回動支持桿に対する相対回転が阻止されると共に回動軸止め又は回動軸の頭部がこれらを締め付けることによって第一の受け部材に摩擦係合しているので、回動軸及び回動軸止めは第一の受け部材及び回転止め部に対して回転することなく固定されるため、座を使用位置と起立位置との間で回動させても回動軸と回動軸止めとによる締め付けが緩むことがない。したがって、座がゆっくりと安定して回動するようになると共に、座が例えば振動等の外力によって起立位置から勢いよく倒れたり使用位置の状態でばたついたりすることが防止され、且つ、このような快適・良好な使用状態が維持される。
【０００８】
なお、本発明の説明においては、使用位置とは水平若しくは概ね水平位置のことをいい、起立位置とは垂直若しくは概ね垂直位置のことをいうものとする。
【０００９】
また、この椅子の座回動機構によると、回動機構に用いられる部品としての樹脂にへたりや摩耗が生じてこれによって第一の受け部材と第二の受け部材との間の回転規制（そのための抵抗力）がたとえ弱まってしまったとしても、回動軸と回動軸止めとを増し締めして第一の受け部材と第二の受け部材とを挟んで締め付ける力を調整することにより、第一の受け部材と第二の受け部材との間の回転抵抗力を調整する（言い換えると、回復させる）ことができる。
【００１０】
また、請求項２記載の発明は、請求項１記載の椅子の座回動機構において、第一の受け部材及び回転止め部とが、座回動支持桿の左右両端と接合して当該座回動支持桿を介して座を支持するように対向配置された左右一対の座支持フレームの内側に配置されるようにしている。この場合には、椅子全体の外枠を形成する左右の座支持フレームの内側に第一の受け部材及び回転止め部並びに第二の受け部材が配置されることになるので、座の回動操作をする人と前記の部品から構成される回転動作部分との間に一定の距離が確保される。また、座が使用位置にある椅子の使用状態において特に前記回転動作部分が隠れるために外観がすっきりしたものになる。
【００１１】
また、請求項３記載の発明は、請求項１記載の椅子の座回動機構において、第一の受け部材及び回転止め部が座回動支持桿から上方に突出して設けられて回動軸が座回動支持桿よりも上に位置し、座が使用位置にある時の座フレームと、座回動支持桿の左右両端と接合して当該座回動支持桿を介して座を支持するように対向配置された左右一対の座支持フレームとの間に間隙があるようにしている。この場合には、座を起立位置から使用位置へと回動させた場合に座が使用位置になった時の座フレームと座支持フレームとの間に例えば指が挟まれることが防止される。
【発明の効果】
【００１２】
請求項１記載の椅子の座回動機構によれば、回動軸と回動軸止めとによる締め付けによって第一の受け部材と第二の受け部材との相対回転に対して適度な大きさの抵抗力を発生させることができるので、座が例えば振動等の外力によって起立位置から勢いよく倒れたり使用位置の状態でばたついたりすることを防止することができ、安全性及び快適性の向上を図ることが可能になる。
【００１３】
請求項１記載の椅子の座回動機構によれば、また、回動軸と回動軸止めとによる締め付けによって第一の受け部材と第二の受け部材との相対回転に対して適度な大きさの抵抗力を発生させることができるので、座の回動操作に対して一定の抵抗力を生じさせて座をゆっくりと安定させて回動させることができ、座の回動動作の安定性を発揮させて使い心地の向上及び高級感の創出を図ることが可能になる。
【００１４】
請求項１記載の椅子の座回動機構によれば、さらに、座を使用位置と起立位置との間で回動させても回動軸と回動軸止めとによる締め付けが緩むことがないので、上述の効果を十分に長期間に亘って持続させることができ、メンテナンスの手間を軽減することが可能になる。
【００１５】
また、請求項１記載の椅子の座回動機構によれば、第一の受け部材と第二の受け部材との間の回転抵抗力の調整（言い換えると、回復）を、部品の交換を伴うことなく簡便に行うことができるので、たとえメンテナンスが必要になったとしてもその手間の軽減とコストの低減とが可能になる。
【００１６】
また、請求項２記載の椅子の座回動機構によれば、座の回動操作をする人と回動機構の回転動作部分との間に一定の距離が確保されるので、前記回転動作部分に例えば着衣が巻き込まれたり指が挟まれたりすることを防止することができ、安全性の向上を図ることが可能になる。また、座が使用位置にある椅子の使用状態において特に前記回転動作部分を隠して外観をすっきりさせることができるので、見栄えの向上を図ることが可能になる。
【００１７】
また、請求項３記載の椅子の座回動機構によれば、座を起立位置から使用位置へと回動させた場合に座が使用位置になった時の座フレームと座支持フレームとの間に例えば指が挟まれることを防止することができるので、安全性のより一層の向上を図ることが可能になる。
【図面の簡単な説明】
【００１８】
【図１】本発明の椅子の座回動機構の実施形態の一例を示す一部分解斜視図である。
【図２】実施形態の椅子の座回動機構における回転動作部分の正面断面図である。
【図３】実施形態の椅子の座回動機構における回転動作部分の回動軸頭部側側面図である。
【図４】実施形態の椅子の斜視図である。（Ａ）は座が使用位置にある状態を示す図である。（Ｂ）は座が起立位置にある状態を示す図である。
【図５】実施形態の椅子の側面図である。（Ａ）は座が使用位置にある状態を示す図である。（Ｂ）は座が起立位置にある状態を示す図である。
【図６】実施形態の椅子の座が使用位置にある状態を示す立面図である。（Ａ）は正面(前面)図である。（Ｂ）は背面(後面)図である。
【図７】実施形態の椅子の座が使用位置にある状態を示す平面図である。
【図８】座が回動可能な従来の椅子を示す斜視図である。
【図９】図８中の符号Ａの円内部分を拡大して示す一部切欠き図である。
【発明を実施するための形態】
【００１９】
以下、本発明の構成を図面に示す実施の形態の一例に基づいて詳細に説明する。
【００２０】
図１から図７に、本発明の椅子の座回動機構の実施形態の一例を示す。なお、本実施形態では、本発明の椅子の座回動機構を図４に全体構造を示す椅子２０に適用した場合を例に挙げて説明する。また、本明細書においては、椅子２０の座２３に座った着座者を基準にして上下、前後、左右を定義する。
【００２１】
本実施形態の椅子２０は、下端（言い換えると、前端）にキャスター２５が取り付けられると共に前端から後端に向かうにつれて上方に傾斜する急傾斜部２１ａと当該急傾斜部２１ａの後端から連接すると共に急傾斜部２１ａよりも上方への傾斜が緩やかな緩傾斜部２１ｂとからなり対向配置される左右一対の座支持フレーム２１，２１と、当該座支持フレーム２１の後端と中間部が接合すると共に下端にキャスター２５が取り付けられる左右一対の背凭れ支持フレーム２２，２２と、当該背凭れ支持フレーム２２の上端にこれら左右の背凭れ支持フレーム２２，２２の間に亘って取り付けられる帯状の背凭れ２４と、さらに、本発明の椅子の座回動機構によって左右一対の座支持フレーム２１，２１に回動可能に支持される座２３とを有する。なお、座支持フレーム２１の後端と背凭れ支持フレーム２２の中間部の周面とは溶接によって接合される。また、背凭れ２４後面の左右両端部には略上下方向の孔が形成されており、これら孔のそれぞれに背凭れ支持フレーム２２，２２の上端部分を摺接挿入させた状態でねじ止めされて背凭れ支持フレーム２２，２２に背凭れ２４が固定される。
【００２２】
また、本実施形態の椅子２０は、左右一対の座支持フレーム２１，２１それぞれの緩傾斜部２１ｂ，２１ｂの間の後端寄り位置に取り付けられた左右方向の座回動支持桿６を備えると共に、緩傾斜部２１ｂ，２１ｂの間の前端位置（したがって、座回動支持桿６の斜め前下方位置）に取り付けられた左右方向の座支持桿９を備える。なお、座回動支持桿６及び座支持桿９は溶接によって座支持フレーム２１に接合される。
【００２３】
また、本実施形態の椅子２０は、水平前後方向にスタッキングすることが可能であるように構成されている。具体的には、左右一対の座支持フレーム２１，２１間の距離が前端から後端に向かうに従って徐々に拡がるように構成されていると共に、左右一対の座支持フレーム２１，２１が前述の通り前側の急傾斜部２１ａと後ろ側の緩傾斜部２１ｂとからなり前端から後端に向かうにつれて上方に傾斜するように構成されている。これにより、本実施形態の椅子２０では、左右の座支持フレーム２１，２１及び背凭れ支持フレーム２２，２２並びに座回動支持桿６及び座支持桿９によって区画される座２３の下方空間に、座２３を起立位置にした他の椅子２０の座支持フレーム２１，２１（緩傾斜部２１ｂは前側部分のみ）並びに座支持桿９を入り込ませて水平前後方向にスタッキングすることが可能である。
【００２４】
そして、本実施形態の椅子の座回動機構は、座２３が取り付けられる座フレーム１と当該座フレーム１を回動可能に支持する座回動支持桿６とを有する椅子の座回動機構であり、座回動支持桿６に間隔をあけて設けられた第一の受け部材７及び回転止め部８と、座フレーム１に設けられて第一の受け部材７と回転止め部８との間に配置される第二の受け部材２と、第一の受け部材７と第二の受け部材２とを貫通してこれら第一の受け部材７と第二の受け部材２とを挟むように締め付けるものであって一端に頭部３ａを有する回動軸３及び当該回動軸３の頭部３ａと反対側に嵌められる回動軸止め５と、回転止め部８に設けられて回動軸３の頭部３ａの側面に当たって回動軸３の座回動支持桿６に対する相対回転を阻止する当たり面１１とを備え、回転止め部８は回動軸３の頭部３ａを軸方向に通り抜け可能としている。
【００２５】
本実施形態では、多角形枠状の座フレーム１の上面に板状の座２３がねじによって取り付けられる。そして、座フレーム１の後端に円筒形状の第二の受け部材２が固定され取り付けられる。なお、本実施形態では両者は溶接によって接合される。
【００２６】
また、本実施形態では、回動軸３は頭部３ａと長身の軸部３ｂとからなる六角ボルト（全ねじ若しくは半ねじ）であり、回動軸止め５は袋ナットのように軸部に雌ねじが形成されていると共に頭部に六角孔が形成されているナットである。
【００２７】
第一の受け部材７及び回転止め部８は座回動支持桿６に接合してブラケットとして構成されている。本実施形態では、第一の受け部材７及び回転止め部８は、座回動支持桿６の両端部よりも中央寄りの位置、言い換えると、左右の座支持フレーム２１，２１の内側に設けられている。
【００２８】
第一の受け部材７には回動軸止め５の軸部が貫通する丸孔７ａが形成され、回転止め部８には回動軸３の頭部３ａとほぼ同じ大きさの六角孔８ａが形成される。この六角孔８ａは回動軸３の回転を阻止するものであり、六角孔８ａの周囲の面が頭部３ａとの当たり面１１になる。
【００２９】
回動軸３は、軸部３ｂが回転止め部８の六角孔８ａから第一の受け部材７に向けて挿入され、頭部３ａが六角孔８ａに嵌った状態で軸部３ｂの先端部に第一の受け部材７の丸孔７ａから差し込まれた回動軸止め５の軸部が嵌められて回転止め部８から第一の受け部材７に亘って取り付けられる。
【００３０】
第一の受け部材７と第二の受け部材２との間には、第一の受け部材７側から順に、例えばポリアセタール等の樹脂によって成形されたワッシャ４Ｂと、例えばスチール製のワッシャ４Ａとが挟み込まれる。また、回転止め部８と第二の受け部材２との間には、回転止め部８側から順に、例えばスチール製のワッシャ４Ａと、例えばポリアセタール等の樹脂によって成形されたワッシャ４Ｂとが挟み込まれる。
【００３１】
これらスチールワッシャ４Ａと樹脂ワッシャ４Ｂとを挟み込むことで、回動軸３と回動軸止め５とによって両受け部材７，２を強く締め付けながらも、適度な抵抗力を発生させつつ、両受け部材７，２の間、並びに、第二の受け部材２と回動軸３の頭部３ａとの間の相対回転を可能にしている。
【００３２】
そして、座回動支持桿６に座フレーム１を回動可能に取り付けるには、まず、座回動支持桿６の第一の受け部材７と回転止め部８との間に座フレーム１後端の第二の受け部材２を配置すると共に、第一の受け部材７と第二の受け部材２との間に第一の受け部材７側から順に樹脂ワッシャ４Ｂとスチールワッシャ４Ａとを、さらに、回転止め部８と第二の受け部材２との間に回転止め部８側から順にスチールワッシャ４Ａと樹脂ワッシャ４Ｂとをそれぞれ挟み込む。
【００３３】
上述のように各部品を配置してこれら部品の孔を揃えた状態で回転止め部８の六角孔８ａから回動軸３の軸部３ｂを挿入し、前記各部品の孔を貫通させて軸部３ｂの先端を第一の受け部材７まで若しくはその直近まで到達させる。このとき、回動軸３の頭部３ａが回転止め部８の六角孔８ａ内に位置する（言い換えると、回動軸３の取り付け状態で頭部３ａが六角孔８ａ内に位置するように軸部３ｂの長さが調整される）。そして、第一の受け部材７の丸孔７ａから回動軸止め５の軸部を差し込んで回動軸３の軸部３ｂの先端部分に嵌め合わせて締め付ける。
【００３４】
このとき、回動軸３の頭部３ａは回転止め部８の六角孔８ａ内において軸部３ｂの軸心方向に移動可能であるので、ワッシャ４Ａ，４Ｂを介して第二の受け部材２に締め付け力を及ぼすことになる。すなわち、第一の受け部材７と第二の受け部材２とを回動軸３と回動軸止め５とによって挟んで締め付けて締結することになり、強く締め付けることで両受け部材２，７の相対回転に対して大きな摩擦力（言い換えると、抵抗力）を発生させることができる。
【００３５】
また、本実施形態では、第一の受け部材７と回転止め部８とは座回動支持桿６から斜め後ろ上方に向けて延出して設けられ、これらに形成される丸孔７ａと六角孔８ａとが座回動支持桿６の斜め後ろ上方に位置している。これにより、回動軸３は座回動支持桿６よりも上に位置している。
【００３６】
また、本実施形態の椅子２０は、左右一対の座支持フレーム２１，２１の緩傾斜部２１ｂ，２１ｂの間の前端位置に座支持桿９を備えると共に、多角形枠状の座フレーム１の内側に架けられた左右方向の横架材１ａが取り付けられている。横架材１ａは、左右両端部が座フレーム１に接合していると共に、中間部分が（座フレーム１が使用位置において）下方に向かって突出（屈曲）している。そして、当該中間部分の下方突出部分の下面に、座２３が使用位置になった時に座支持桿９の上面に当接する当接部材１０が取り付けられる。
【００３７】
そして、本実施形態の椅子２０では、第一の受け部材７と回転止め部８とによる回動軸３の座回動支持桿６に対する上方へのオフセット量と当接部材１０の高さとを調整することによって座２３が使用位置にある時の座フレーム１と座支持フレーム２１，２１との間の間隙の大きさが調整されると共に、当接部材１０の高さを調整することによって座２３の使用位置における快適な座面角度（例えば水平若しくは概ね水平）の調整がなされる。
【００３８】
上述の通り、本発明の椅子の座回動機構によれば、第一の受け部材７と第二の受け部材２とが回動軸３を中心に相対回転することで座回動支持桿６に対して座フレーム１が回動する。そして、第一の受け部材７と第二の受け部材２とは回動軸３と回動軸止め５とによって締め付けられているので、これらを強く締め付けると第一の受け部材７と第二の受け部材２との相対回転に対して適度な大きさの抵抗力が発生する。さらに、回動軸３の頭部３ａの側面が回転止め部８の当たり面１１に当たることによって回動軸３の座回動支持桿６に対する相対回転が阻止されると共に回動軸止め５が当該回動軸止め５と回動軸３とを締め付けることによって第一の受け部材７に摩擦係合しているので、回動軸３及び回動軸止め５は第一の受け部材７及び回転止め部８に対して回転することなく固定されるため、座２３を使用位置と起立位置との間で回動させても回動軸３と回動軸止め５とによる締め付けが緩むことがない。したがって、座２３がゆっくりと安定して回動するようになると共に、座２３が例えば振動等の外力によって起立位置から勢いよく倒れたり使用位置の状態でばたついたりすることを防止することができ、且つ、このような快適・良好な使用状態を維持することができる。
【００３９】
また、本発明の椅子の座回動機構によると、回動機構に用いられる部品としての樹脂ワッシャ４Ｂにへたりや摩耗が生じてこれによって第一の受け部材７と第二の受け部材２との間の回転規制（そのための抵抗力）がたとえ弱まってしまったとしても、回動軸３と回動軸止め５とを増し締めして第一の受け部材７と第二の受け部材２とを挟んで締め付ける力を調整することにより、第一の受け部材７と第二の受け部材２との間の回転抵抗力を調整する（言い換えると、回復させる）ことができる。そして、この調整は、本実施形態であれば、回動軸止め５を六角レンチによって増し締めするだけで済むので、回転抵抗力の回復の調整を非常に簡便に行うことができる。
【００４０】
また、本発明の椅子の座回動機構によれば、椅子全体の外枠を形成する左右の座支持フレーム２１，２１の内側に第一の受け部材７及び回転止め部８並びに第二の受け部材２が配置されることになるので、座２３の回動操作をする人と回動機構の回転動作部分（前記の部品７，８，２等）との間に一定の距離が確保されるので、前記回転動作部分に例えば着衣が巻き込まれたり指が挟まれたりすることを防止することができる。
【００４１】
また、本発明の椅子の座回動機構によれば、座２３が使用位置にある時に座フレーム１と座支持フレーム２１，２１との間に間隙が生ずるので、座２３を起立位置から使用位置へと回動させた場合に座２３が使用位置になった時の座フレーム１と座支持フレーム２１，２１との間に例えば指が挟まれることを防止することができる。
【００４２】
なお、上述の形態は本発明の好適な形態の一例ではあるがこれに限定されるものではなく、本発明の要旨を逸脱しない範囲において種々変形実施可能である。例えば、上述の実施形態では、本発明の椅子の座回動機構を図４に全体構造を示す椅子２０に適用した場合を例に挙げて説明したが、本発明が適用され得る椅子は上述の実施形態の椅子２０に限られるものではない。例えば、上述の実施形態では座回動支持桿６と回動軸３との位置関係を調整すること並びに当接部材１０を用いることによって座２３が使用位置にある時に座フレーム１と座支持フレーム２１，２１との間に間隙が生ずるようにしているが、これらの構成は本発明にとって必須の構成ではない。
【００４３】
また、上述の実施形態では第一の受け部材７及び回転止め部８は座回動支持桿６の両端部よりも中央寄りの位置に設けられるようにしているが、この構成は本発明にとって必須の構成ではなく、第一の受け部材７及び回転止め部８は例えば左右の座支持フレーム２１，２１の緩傾斜部２１ｂ，２１ｂのそれぞれに設けられるようにしても良い。
【００４４】
また、上述の実施形態では回動軸３は、軸部３ｂが回転止め部８の六角孔８ａから第一の受け部材７に向けて挿入され、頭部３ａが六角孔８ａに嵌った状態で軸部３ｂの先端部に第一の受け部材７の丸孔７ａから差し込まれた回動軸止め５の軸部が嵌められて回転止め部８から第一の受け部材７に亘って取り付けられるようにしているが、これに限られず、回動軸３は、軸部３ｂが第一の受け部材７の丸孔７ａから回転止め部８に向けて挿入され、軸部３ｂの先端部に回転止め部８の六角孔８ａから差し込まれ当該六角孔８ａに嵌って周囲の面に当接する頭部が六角形の回転軸止め５（例えば六角ナット）の軸部が嵌められて回転止め部８から第一の受け部材７に亘って取り付けられるようにしても良い。この場合も、回動軸３の頭部３ａが第一の受け部材７に摩擦係合すると共に回動軸止め５の頭部の側面と回転止め部８の六角孔８ａの当たり面１１に当たることによって回動軸３の座回動支持桿６に対する相対回転が阻止されるので、回動軸３及び回動軸止め５は第一の受け部材７及び回転止め部８に対して回転することなく固定される。なお、このとき、回動軸止め５は回転止め部８の六角孔８ａ内において回動軸３の軸部３ｂの軸心方向に移動可能であるので、ワッシャ４Ａ，４Ｂを介して第二の受け部材２に締め付け力を及ぼすことになる。
【００４５】
また、上述の実施形態や他の実施形態では座回動支持桿６に対する回動軸３の相対回転を規制するために回動軸３として六角ボルトを用いたり回動軸止め５として六角ナットを用いたりするようにしているが、回動軸３や回動軸止め５は回転止め部８の孔８ａの当たり面１１と当接して回転を規制し得る構造であればこれに限られるわけではなく、例えば四角ボルトや四角ナット等を用いるようにしても良い。
【符号の説明】
【００４６】
１  座フレーム
２  第二の受け部材
３  回動軸
３ａ  頭部
３ｂ  軸部
５  回転軸止め
６  座回動支持桿
７  第一の受け部材
８  回転止め部
１１  当たり面
２０  椅子
２３  座
【図１】
2012090757.tif 000003
【図２】
2012090757.tif 000004
【図３】
2012090757.tif 000005
【図４】
2012090757.tif 000006
【図５】
2012090757.tif 000007
【図６】
2012090757.tif 000008
【図７】
2012090757.tif 000009
【図８】
2012090757.tif 000010
【図９】
2012090757.tif 000011